(57)【特許請求の範囲】
【請求項１】
ラジオ放送波を受信する受信部（５）と、
楽曲を含むラジオ放送波が前記受信部により受信されると、そのラジオ放送波で流れている楽曲の楽曲情報を用いてタグ情報を作成するタグ情報作成部（２ａ）と、
タグ情報を外部機器（１２）に転送可能な転送部（９）と、
タグ情報を記憶可能な記憶部（８）と、
ユーザからの操作を受け付ける操作受付部（４）と、を備えたラジオ放送受信装置（１）において、
タグ情報が前記タグ情報作成部により作成される毎に、その作成されたタグ情報と、そのタグ情報に対応する楽曲情報とを含む履歴データを内部メモリ（７）に記憶させる記憶制御部（２ｂ）と、
ユーザからの履歴リスト表示操作が前記操作受付部により受け付けられると、履歴データを含む履歴リストを表示部（３）に表示させる表示制御部（２ｃ）と、
ユーザからの楽曲選択操作が前記操作受付部により受け付けられると、履歴リストの中から前記楽曲選択操作により選択された履歴データのタグ情報を転送対象として決定する転送対象決定部（２ｄ）と、
転送対象のタグ情報を前記転送部から前記外部機器に転送させる転送制御部（２ｅ）と、を備え、
前記転送対象決定部は、ラジオ放送波が前記受信部により受信中にユーザからのタグ情報転送操作が前記操作受付部により受け付けられると、履歴リストの中から最新の履歴データのタグ情報を転送対象として決定するラジオ放送受信装置。
【請求項２】
請求項１に記載したラジオ放送受信装置において、
前記転送制御部は、前記タグ情報転送操作が前記操作受付部により受け付けられた時点でタグ情報を転送可能である場合には、転送対象のタグ情報を前記記憶部に記憶させずに前記外部機器に転送させるラジオ放送受信装置。
【請求項３】
請求項１に記載したラジオ放送受信装置において、
前記転送制御部は、前記タグ情報転送操作が前記操作受付部により受け付けられた時点でタグ情報を転送可能でない場合には、転送対象のタグ情報を前記記憶部に一旦記憶させ、タグ情報を転送可能になったときに、前記記憶部に記憶させておいた転送対象のタグ情報を前記外部機器に転送させるラジオ放送受信装置。
【請求項４】
請求項１から３の何れか一項に記載したラジオ放送受信装置において、
前記転送制御部は、前記楽曲選択操作が前記操作受付部により受け付けられた時点でタグ情報を転送可能である場合には、転送対象のタグ情報を前記記憶部に記憶させずに前記外部機器に転送させるラジオ放送受信装置。
【請求項５】
請求項１から３の何れか一項に記載したラジオ放送受信装置において、
前記転送制御部は、前記楽曲選択操作が前記操作受付部により受け付けられた時点でタグ情報を転送可能でない場合には、転送対象のタグ情報を前記記憶部に一旦記憶させ、タグ情報を転送可能になったときに、前記記憶部に記憶させておいた転送対象のタグ情報を前記外部機器に転送させるラジオ放送受信装置。
【請求項６】
請求項２又は４に記載したラジオ放送受信装置において、
前記記憶制御部は、転送対象のタグ情報の前記外部機器への転送が完了すると、その転送対象のタグ情報を含む履歴データを履歴リストから削除するラジオ放送受信装置。
【請求項７】
請求項３又は５に記載したラジオ放送受信装置において、
前記記憶制御部は、転送対象のタグ情報の前記記憶部への記憶が完了すると、その転送対象のタグ情報を含む履歴データを履歴リストから削除するラジオ放送受信装置。
【請求項８】
請求項１から７の何れか一項に記載したラジオ放送受信装置において、
前記表示制御部は、履歴データが前記内部メモリに記憶された時系列の順序にしたがって履歴リストを前記表示部に表示させるラジオ放送受信装置。
【請求項９】
請求項１から７の何れか一項に記載したラジオ放送受信装置において、
前記表示制御部は、所定期間内で楽曲が前記受信部により受信された回数にしたがって履歴リストを前記表示部に表示させるラジオ放送受信装置。
【請求項１０】
ラジオ放送受信装置（１）の制御部（２）に、
楽曲を含むラジオ放送波が受信部（５）により受信されると、そのラジオ放送波で流れている楽曲の楽曲情報を用いてタグ情報を作成する第１の手順と、
タグ情報を前記第１の手順により作成する毎に、その作成したタグ情報と、そのタグ情報に対応する楽曲情報とを含む履歴データを内部メモリ（７）に記憶させる第２の手順と、
ユーザからの履歴リスト表示操作が操作受付部（４）により受け付けられると、履歴データを含む履歴リストを表示部（３）に表示させる第３の手順と、
ユーザからの楽曲選択操作が前記操作受付部により受け付けられると、履歴リストの中から前記楽曲選択操作により選択された履歴データのタグ情報を転送対象として決定する第４の手順と、
転送対象のタグ情報を転送部（９）から外部機器（１２）に転送させる第５の手順と、
ラジオ放送波が前記受信部により受信中にユーザからのタグ情報転送操作が前記操作受付部により受け付けられると、履歴リストの中から最新の履歴データのタグ情報を転送対象として決定する第６の手順と、を実行させるコンピュータプログラム。
【発明の詳細な説明】
【技術分野】
【０００１】
本発明は、ラジオ放送受信装置及びコンピュータプログラムに関する。
【背景技術】
【０００２】
従来より、例えば携帯情報端末等の外部機器と接続可能なラジオ放送受信装置において、ラジオ放送波で流れている楽曲のタグ情報を外部機器に転送する機能がある。即ち、ラジオ放送受信装置は、ラジオ放送波で流れている楽曲を受信中にユーザからのタグ釦の押下を受け付けると、その楽曲の楽曲情報を用いてタグ情報を作成する。そして、ラジオ放送受信装置は、その時点で外部機器が接続中であり、楽曲情報を転送可能であれば、その作成したタグ情報を外部機器に転送する。一方、ラジオ放送受信装置は、その時点で外部機器が接続中でなく、楽曲情報を転送可能でなければ、その作成したタグ情報を記憶部に一旦記憶し、外部機器が接続されて楽曲情報を転送可能になったときに、その記憶しておいたタグ情報を外部機器に転送する。ユーザは、ラジオ放送波で流れている楽曲を受信中にタグ釦を押下することで、その楽曲のタグ情報を外部機器に転送させることができる。そして、ユーザは、その外部機器に保存させたタグ情報を用いることで、タグ情報により特定される楽曲をサーバからパーソナルコンピュータ端末を経由してダウンロードする等の様々なサービスを受けることができる（例えば特許文献１参照）。
【先行技術文献】
【特許文献】
【０００３】
【特許文献１】米国特許第８９３９２１７号明細書
【発明の概要】
【発明が解決しようとする課題】
【０００４】
しかしながら、上記した構成では、ラジオ放送波で流れている楽曲の受信中でしか当該楽曲のタグ情報を作成することができない。そのため、その楽曲の受信が終了してしまうと、ユーザが当該楽曲のタグ情報を外部機器に転送させる機会を逸してしまうことになり、利便性の点で改善する余地があった。
【０００５】
本発明は、上記した事情に鑑みてなされたものであり、その目的は、ラジオ放送波で流れている楽曲のタグ情報を外部機器に転送させる際の利便性を高めることができるラジオ放送受信装置及びコンピュータプログラムを提供することにある。
【課題を解決するための手段】
【０００６】
請求項１に記載した発明によれば、タグ情報作成部（２ａ）は、楽曲を含むラジオ放送波が受信部（５）により受信されると、そのラジオ放送波で流れている楽曲の楽曲情報を用いてタグ情報を作成する。記憶制御部（２ｂ）は、タグ情報がタグ情報作成部により作成される毎に、その作成されたタグ情報と、そのタグ情報に対応する楽曲情報とを含む履歴データを内部メモリ（７）に記憶させる。表示制御部（２ｃ）は、ユーザからの履歴リスト表示操作が操作受付部（４）により受け付けられると、履歴データを含む履歴リストを表示部（３）に表示させる。転送対象決定部（２ｄ）は、ユーザからの楽曲選択操作が操作受付部により受け付けられると、履歴リストの中から楽曲選択操作により選択された履歴データのタグ情報を転送対象として決定する。転送制御部（２ｄ）は、転送対象のタグ情報を転送部（９）から外部機器（１２）に転送させる。転送対象決定部は、ラジオ放送波が受信部により受信中にユーザからのタグ情報転送操作が操作受付部により受け付けられると、履歴リストの中から最新の履歴データのタグ情報を転送対象として決定する。
【０００７】
即ち、楽曲を含むラジオ放送波が受信されると、ユーザが何ら操作を行わなくとも、そのラジオ放送波で流れている楽曲のタグ情報を作成し、そのタグ情報と楽曲情報とを含む履歴データを内部メモリに記憶する。そして、ユーザが履歴リスト表示操作を行うと、履歴データを含む履歴リストを表示し、ユーザが楽曲選択操作を行うと、履歴リストの中から楽曲選択操作により選択された履歴データのタグ情報を外部機器に転送する。ユーザは、ラジオ放送波で流れている楽曲の受信中ではなく受信後でも、履歴リスト表示操作及び楽曲選択操作を行うことで、自分が選択した楽曲のタグ情報を外部機器に転送させることができる。即ち、ユーザは、楽曲の受信中に必ずしもタグ情報を転送させる操作を行う必要がなくなり、任意のタイミングで楽曲を選択して当該楽曲のタグ情報を転送させることができる。これにより、ラジオ放送波で流れている楽曲のタグ情報を外部機器に転送させる際の利便性を高めることができる。又、車載の用途では、運転中にラジオを聴いている場合でも、運転中に必ずしもタグ情報を転送させる操作を行う必要がなくなり、安全性を高めることもできる。
【図面の簡単な説明】
【０００８】
【図１】本発明の一実施形態を示す機能ブロック図
【図２】ラジオ画面を示す図（その１）
【図３】履歴リストを示す図
【図４】履歴リスト画面を示す図
【図５】ラジオ画面を示す図（その２）
【図６】履歴リスト作成処理を示すフローチャート
【図７】履歴リスト表示処理を示すフローチャート
【図８】転送可能判定処理を示すフローチャート
【発明を実施するための形態】
【０００９】
以下、本発明を、車両に搭載される車両用装置に適用した一実施形態について図面を参照して説明する。車両用装置１は、オーディオ機能を有する装置であり、制御部２と、表示部３と、操作受付部４と、ラジオチューナー５（受信部に相当する）と、スピーカー６と、内部メモリ７と、記憶部８と、ＵＳＢ（Universal Serial Bus）ドライバ９（転送部に相当する）と、ＵＳＢ接続端子１０とを有する。
【００１０】
制御部２は、ＣＰＵ（Central Processing Unit）、ＲＯＭ（Read Only Memory）、ＲＡＭ（Random Access Memory）及びＩ／Ｏ（Input／Output）を有するマイクロコンピュータにより構成されている。制御部２は、非遷移的実体的記録媒体に格納されているコンピュータプログラムを実行することで、コンピュータプログラムに対応する処理を実行し、車両用装置１の動作全般を制御する。
【００１１】
表示部３は、例えば液晶ディスプレイ等により構成されており、制御部２から表示指令信号を入力すると、その入力した表示指令信号により指定される画面を表示する。操作受付部４は、表示部３の画面上に形成されるタッチパネルや機械的なスイッチ等により構成されており、ユーザからの操作を検知すると、その操作の内容を示す操作検知信号を制御部２に出力する。ラジオチューナー５は、ラジオ放送局１１ａ〜１１ｎから送信されるラジオ放送波を受信する。
【００１２】
上記した構成では、ユーザがラジオ放送のチャンネルを選局する選局操作を行うと、操作受付部４は、選局操作の内容を示す操作検知信号を制御部２に出力する。ユーザが行う選局操作は順送り選局操作や自動選局操作の何れでも良い。制御部２は、操作検知信号を操作受付部４から入力すると、その選局操作に応じた選局指令信号をラジオチューナー５に出力し、受信対象のラジオ放送波の周波数を調整する。ラジオチューナー５は、制御部２から選局指令信号を入力すると、その入力した選局指令信号により指定されるチャンネルのラジオ放送波を受信し、その受信したラジオ放送波からラジオ信号を抽出して制御部２に出力する。
【００１３】
制御部２は、ラジオ信号をラジオチューナー５から入力すると、そのラジオ信号から特定される放送局名及び楽曲情報を含む表示指令信号を表示部３に出力し、図２に示すように、ラジオ画面Ｍ１を表示させると共に、音声データ信号をスピーカー６に出力する。楽曲情報は曲名及びアーティスト名である。これにより、ユーザは、放送局名を把握することができると共に、ラジオ放送波で流れている楽曲の曲名及びアーティスト名を把握することができる。尚、制御部２は、放送局名、楽曲の曲名及びアーティスト名を表示させると共に、ユーザが押下可能なタグ釦Ｂ１及び履歴釦Ｂ２を形成して表示させる。
【００１４】
スピーカー６は、制御部２から音声データ信号を入力すると、その入力した音声データ信号を電気的な信号から音声に変換して外部に出力する。内部メモリ７は、揮発性メモリであり、ラジオ放送波で流れている楽曲の楽曲情報と、その楽曲のタグ情報とを含む履歴データを記憶可能な記憶領域を有する。この場合、内部メモリ７は、履歴データを所定件数（即ち所定曲数）分だけ履歴リストとして記憶する。本実施形態では、タグ情報を例えば約５００［byte］と想定し、内部メモリ７の記憶容量を例えば５０曲数分に相当する２５Ｍ［byte］とし、記憶可能な履歴データの最大件数を５０件としている。記憶部８は、不揮発性メモリ又はストレージであり、楽曲のタグ情報を記憶可能な記憶領域を有する。ＵＳＢドライバ９は、携帯情報端末１２（外部機器に相当）がＵＳＢケーブル１３を介してＵＳＢ接続端子１０に接続されている状態で、ＵＳＢで規定されている通信プロトコルに準じたデータ通信を携帯情報端末１２との間で行う。尚、携帯情報端末１２は例えばスマートフォンと称される多機能型の携帯電話機である。
【００１５】
制御部２は、本発明に関連する機能として、タグ情報作成部２ａと、記憶制御部２ｂと、表示制御部２ｃと、転送対象決定部２ｄと、転送制御部２ｅとを有する。これらの各部２ａ〜２ｅは制御部２が実行するコンピュータプログラムにより構成されており、ソフトウェアにより実現されている。タグ情報作成部２ａは、ラジオ信号をラジオチューナー５から入力すると、そのラジオ信号から特定される楽曲情報を用いてタグ情報を作成する。記憶制御部２ｂは、タグ情報が作成される毎に、図３に示すように、その作成されたタグ情報と、そのタグ情報に対応する楽曲情報とを含む履歴データを履歴リストとして内部メモリ７に記憶させる。尚、前述したように内部メモリ７の記憶容量が有限であるので、記憶制御部２ｂは、内部メモリ７に記憶されている履歴データの件数が内部メモリ７の記憶容量に相当する最大件数に達している状態でタグ情報が作成されると、最古の履歴データを履歴リストから削除して空き領域を確保した上で、最新の履歴データを内部メモリ７に記憶させる。
【００１６】
表示制御部２ｃは、ユーザがラジオ画面Ｍ１にて履歴釦Ｂ２を押下したことで、ユーザからの履歴リスト表示操作が操作受付部４により受け付けられると、図４に示すように、複数件（図４では４件）ずつの履歴データを含む履歴リスト画面Ｍ２を表示部３に表示させる。この場合、表示制御部２ｃは、履歴データが内部メモリ７に記憶された時系列の順序にしたがって例えば新しい履歴データから古い履歴データまで降順に表示させても良いし、一方、古い履歴データから新しい履歴データまで昇順に表示させても良い。又、表示制御部２ｃは、所定期間（例えば１ヶ月）内で楽曲がラジオチューナー５により受信された回数にしたがって例えば受信回数が多い履歴データから少ない履歴データまで降順に表示させても良いし、受信回数が少ない履歴データから多い履歴データまで昇順に表示させても良い。尚、表示制御部２ｃは、スクロールバーＳを表示させており、例えばユーザがスクロールバーＳの上スクロール釦Ｂ３や下スクロール釦Ｂ４を押下したことで、ユーザからのスクロール操作が操作受付部４により受け付けられると、履歴データの表示をスクロールする。尚、ユーザが履歴リストの表示態様を選択可能としても良い。
【００１７】
転送対象決定部２ｄは、ユーザが履歴リスト画面Ｍ２にて何れかの履歴データの表示箇所を押下して選択したことで、ユーザからの楽曲選択操作が操作受付部３により受け付けられると、履歴リストの中から楽曲選択操作により選択された履歴データのタグ情報を転送対象として決定する。転送制御部２ｅは、転送対象のタグ情報が決定されると、その転送対象のタグ情報をＵＳＢドライバ９から携帯情報端末１２に転送させる。この場合、転送制御部２ｅは、楽曲選択操作が受け付けられた時点でタグ情報を転送可能であれば、転送対象のタグ情報をＵＳＢドライバ９から携帯情報端末１２に転送させる。一方、転送制御部２ｅは、楽曲選択操作が受け付けられた時点でタグ情報を転送可能でなければ、転送対象のタグ情報を記憶部８に一旦記憶させ、タグ情報を転送可能になったときに、その記憶させておいたＵＳＢドライバ９から携帯情報端末１２に転送させる。
【００１８】
又、転送対象決定部２ｄは、ラジオ放送波がラジオチューナー５により受信中にユーザがラジオ画面Ｍ１にてタグ釦Ｂ１を押下したことで、ユーザからのタグ情報転送操作が操作受付部３により受け付けられると、履歴リストの中から最新の履歴データのタグ情報を転送対象として決定する。この場合も、転送制御部２ｅは、転送対象のタグ情報が決定されると、その転送対象のタグ情報をＵＳＢドライバ９から携帯情報端末１２に転送させる。転送制御部２ｅは、タグ情報転送操作が受け付けられた時点でタグ情報を転送可能であれば、転送対象のタグ情報をＵＳＢドライバ９から携帯情報端末１２に転送させる。一方、転送制御部２ｅは、タグ情報転送操作が受け付けられた時点でタグ情報を転送可能でなければ、転送対象のタグ情報を記憶部８に一旦記憶させ、タグ情報を転送可能携になったときに、その記憶させておいたＵＳＢドライバ９から携帯情報端末１２に転送させる。このとき、表示制御部２ｃは、図５に示すように、ラジオ画面Ｍ１にて「書き込みが完了しました」というメッセージを所定期間（例えば数秒）だけ表示させる。尚、記憶制御部２ｂは、転送対象のタグ情報の携帯情報端末１２への転送が完了すると、その転送対象のタグ情報を含む履歴データを履歴リストから削除する。又、記憶制御部２ｂは、転送対象のタグ情報の記憶部８への記憶が完了すると、その転送対象のタグ情報を含む履歴データを履歴リストから削除する。
【００１９】
次に、上記した構成の作用について、図６から図８を参照して説明する。
制御部２は、本発明に関連する処理として、履歴リスト作成処理、履歴リスト表示処理、転送可能判定処理を行う。以下、それぞれの処理について順次説明する。
【００２０】
（１）履歴リスト作成処理
制御部２は、履歴リスト作成処理を開始すると、タグ情報を作成したか否かを判定する（Ｓ１）。制御部２は、タグ情報を作成したと判定すると（Ｓ１：ＹＥＳ、第１の手順に相当）、その時点で内部メモリ７に記憶されている履歴データの件数が最大件数に達しているか否かを判定する（Ｓ２）。制御部２は、その時点で内部メモリ７に記憶されている履歴データの件数が最大件数に達していないと判定すると（Ｓ２：ＮＯ）、その作成したタグ情報を含む履歴データを内部メモリ７に記憶させる（Ｓ３、第２の手順に相当）。一方、制御部２は、その時点で内部メモリ７に記憶されている履歴データの件数が最大件数に達していると判定すると（Ｓ２：ＹＥＳ）、最古の履歴データを履歴リストから削除し（Ｓ４）、その作成したタグ情報を含む履歴データを内部メモリ７に記憶させる（Ｓ３、第２の手順に相当）。
【００２１】
次いで、制御部２は、ユーザがタグ釦Ｂ１を押下したか否かを判定する（Ｓ５）。制御部２は、ユーザがタグ釦Ｂ１を押下することなく、次のタグ情報を作成したと判定すると（Ｓ１：ＹＥＳ）、上記したステップＳ２〜Ｓ４を繰り返して行う。一方、制御部２は、ユーザがタグ釦Ｂ１を押下し、タグ情報転送操作を受け付けたと判定すると（Ｓ５：ＹＥＳ）、履歴リストの中から最新の履歴データのタグ情報を転送対象として決定する（Ｓ６、第６の手順に相当）。
【００２２】
次いで、制御部２は、タグ情報を転送可能であるか否かを判定する（Ｓ７）。制御部２は、携帯情報端末１２が接続中であり、タグ情報を転送可能であると判定すると（Ｓ７：ＹＥＳ）、その転送対象のタグ情報をＵＳＢドライバ９から携帯情報端末１２に転送させる（Ｓ８、第５の手順に相当）。そして、制御部２は、その転送対象のタグ情報の携帯情報端末１２への転送を完了すると、その転送対象のタグ情報を含む履歴データを履歴リストから削除し（Ｓ９）、上記したステップＳ１に戻り、ステップＳ１以降を繰り返して行う。一方、制御部２は、携帯情報端末１２が接続中でなく、タグ情報を転送可能でないと判定すると（Ｓ７：ＮＯ）、その転送対象のタグ情報を記憶部８に一旦記憶させる（Ｓ１０）。そして、制御部２は、その転送対象のタグ情報の記憶部８への記憶を完了すると、この場合も、その転送対象のタグ情報を含む履歴データを履歴リストから削除し（Ｓ９）、上記したステップＳ１に戻り、ステップＳ１以降を繰り返して行う。
【００２３】
（２）履歴リスト表示処理
制御部２は、履歴リスト作成処理を開始すると、ユーザが履歴釦Ｂ２を押下したか否かを判定する（Ｓ１１）。制御部２は、ユーザが履歴釦Ｂ２を押下し、履歴リスト表示操作を受け付けたと判定すると（Ｓ１１：ＹＥＳ）、履歴リスト画面Ｍ２を表示部３に表示させ（Ｓ１２、第３の手順に相当）、ユーザが何れかの履歴データを選択したか否かを判定する（Ｓ１３）。制御部２は、ユーザが何れかの履歴データを選択し、楽曲選択操作を受け付けたと判定すると（Ｓ１３：ＹＥＳ）、履歴リストの中から楽曲選択操作により選択された履歴データのタグ情報を転送対象として決定する（Ｓ１４、第４の手順に相当）。
【００２４】
次いで、制御部２は、タグ情報を転送可能であるか否かを判定する（Ｓ１５）。制御部２は、携帯情報端末１２が接続中であり、タグ情報を転送可能であると判定すると（Ｓ１５：ＹＥＳ）、その転送対象のタグ情報をＵＳＢドライバ９から携帯情報端末１２に転送させる（Ｓ１６、第５の手順に相当）。そして、制御部２は、その転送対象のタグ情報の携帯情報端末１２への転送を完了すると、その転送対象のタグ情報を含む履歴データを履歴リストから削除し（Ｓ１７）、上記したステップＳ１１に戻り、ステップＳ１１以降を繰り返して行う。一方、制御部２は、携帯情報端末１２が接続中でなく、タグ情報を転送可能でないと判定すると（Ｓ１５：ＮＯ）、その転送対象のタグ情報を記憶部８に一旦記憶させる（Ｓ１８）。そして、制御部２は、その転送対象のタグ情報の記憶部８への記憶を完了すると、この場合も、その転送対象のタグ情報を含む履歴データを履歴リストから削除し（Ｓ１７）、上記したステップＳ１１に戻り、ステップＳ１１以降を繰り返して行う。
【００２５】
（３）転送可能判定処理
制御部２は、転送可能判定処理を開始すると、タグ情報を転送可能であるか否かを判定する（Ｓ２１）。制御部２は、携帯情報端末１２が接続中であり、タグ情報を転送可能であると判定すると（Ｓ２１：ＹＥＳ）、未転送のタグ情報が記憶部８に記憶されているか否かを判定する（Ｓ２２）。制御部２は、未転送のタグ情報が記憶部８に記憶されていると判定すると（Ｓ２２：ＹＥＳ）、その未転送のタグ情報をＵＳＢドライバ９から携帯情報端末１２に転送させ（Ｓ２３、第５の手順に相当）、上記したステップＳ２１に戻り、ステップＳ２１以降を繰り返して行う。
【００２６】
以上説明したように本実施形態によれば、次に示す効果を得ることができる。
車両用装置１において、楽曲を含むラジオ放送波がラジオチューナー５により受信されると、そのラジオ放送波で流れている楽曲のタグ情報を作成し、そのタグ情報と楽曲情報とを含む履歴データを内部メモリ７に記憶する。そして、ユーザが履歴リスト表示操作を行うと、履歴データを含む履歴リストを表示し、ユーザが楽曲選択操作を行うと、履歴リストの中から楽曲選択操作により選択された履歴データのタグ情報を携帯情報端末１２に転送する。ユーザは、ラジオ放送波で流れている楽曲の受信中ではなく受信後でも、履歴リスト表示操作及び楽曲選択操作を行うことで、自分が選択した楽曲のタグ情報を携帯情報端末１２に転送させることができる。即ち、ユーザは、楽曲の受信中に必ずしもタグ情報を転送させる操作を行う必要がなくなり、任意のタイミングで楽曲を選択して当該楽曲のタグ情報を転送させることができる。これにより、ラジオ放送波で流れている楽曲のタグ情報を携帯情報端末１２に転送させる際の利便性を高めることができる。又、車載の用途では、運転中にラジオを聴いている場合でも、運転中に必ずしもタグ情報を転送させる操作を行う必要がなくなり、安全性を高めることもできる。
【００２７】
この場合、ユーザが楽曲選択操作を行った時点でタグ情報を転送可能であれば、転送対象のタグ情報を記憶部８に記憶せずに携帯情報端末１２に転送することで、タグ情報を速やかに携帯情報端末１２に転送させることができる。一方、ユーザが楽曲選択操作を行った時点でタグ情報を転送可能でなければ、転送対象のタグ情報を記憶部８に一旦記憶し、タグ情報を転送可能になったときに、記憶しておいたタグ情報を携帯情報端末１２に転送することで、タグ情報を後からでも携帯情報端末１２に転送させることができる。
【００２８】
又、ユーザがタグ情報転送操作を行うと、履歴リストの中から最新の履歴データのタグ情報を携帯情報端末１２に転送する。ユーザは、ラジオ放送波で流れている楽曲の受信中に、タグ情報転送操作を行うことで、その受信中の楽曲のタグ情報を携帯情報端末１２に転送させることができる。
【００２９】
この場合も、ユーザがタグ情報転送操作を行った時点でタグ情報を転送可能であれば、転送対象のタグ情報を記憶部８に記憶せずに携帯情報端末１２に転送することで、タグ情報を速やかに携帯情報端末１２に転送させることができる。一方、ユーザがタグ情報転送操作を行った時点でタグ情報を転送可能でなければ、転送対象のタグ情報を記憶部８に一旦記憶し、タグ情報を転送可能になったときに、記憶しておいたタグ情報を携帯情報端末１２に転送することで、タグ情報を後からでも携帯情報端末１２に転送させることができる。
【００３０】
又、タグ情報の携帯情報端末１２への転送や記憶部８への記憶が完了すると、そのタグ情報を含む履歴データを履歴リストから削除することで、内部メモリ７の記憶領域を有効に活用することができる。
【００３１】
本発明は、上記した実施形態で例示したものに限定されることなく、その範囲を逸脱しない範囲で任意に変形又は拡張することができる。
車載の用途に限らず、車載以外の用途に適用しても良い。
本実施形態では、ＵＳＢによるデータ通信を用いてタグ情報を転送する構成を例示したが、他の有線通信接続によるデータ通信を用いてタグ情報を転送する構成でも良い。又、例えばＢｌｕｅｔｏｏｔｈ（登録商標）、ＢＬＥ（Bluetooth Low Energy）、ＷｉＦｉ（Wireless Fidelity）（登録商標）等の無線通信接続によるデータ通信を用いてタグ情報を転送する構成でも良い。
【符号の説明】
【００３２】
図面中、１は車両用装置（ラジオ放送受信装置）、２は制御部、２ａはタグ情報作成部、２ｂは記憶制御部、２ｃは表示制御部、２ｄは転送対象決定部、２ｅは転送制御部、３は表示部、４は操作受付部、５はラジオチューナー（受信部）、７は内部メモリ、８は記憶部、９はＵＳＢドライバ（転送部）、１２は携帯情報端末（外部機器）である。
【図１】
0006508027.tif 000002
【図２】
0006508027.tif 000003
【図３】
0006508027.tif 000004
【図４】
0006508027.tif 000005
【図５】
0006508027.tif 000006
【図６】
0006508027.tif 000007
【図７】
0006508027.tif 000008
【図８】
0006508027.tif 000009